(57)【要約】      （修正有）【課題】板ガラスに対する搬送、方向転換及びフォーク作業を同時に行うことによって、複合作業遂行による装置の信頼性を向上させ、また、インターバルのなしに迅速且つ容易に行うことによって、作業能率を大幅向上させる。【解決手段】進行方向回転ホイールが互いに対をなし、回転軸に沿って等間隔で複数配置され、搬送物品の搬送方向と揃う方向に進行方向回転ホイールが配列された回転軸が連続する搬送方向ローラー部１００と、この搬送方向ローラー部の搬送方向と直角方向に配列された方向転換ローラー部２００を含み、搬送方向ローラー部の進行方向回転ホイールと、方向転換ローラー部の進行方向回転ホイールが互いに直角方向に交差するようにし、これらのアイドルローラーが互いに同一の高さを有するマルチゲートコンベヤーであって、方向転換ローラー部が上下に昇降するようにする昇降手段が備えられた。【選択図】図１
2011225376.tif 000002
【特許請求の範囲】
【請求項１】
対向する二対のフレーム５と、前記各対のフレーム５に所定の間隔で複数設けられる互いに平行な回転軸３０と、を有するマルチゲートコンベヤーであって、
前記一対のフレーム５に設けられる回転軸３０と、他の対のフレーム５に設けられる回転軸３０は直交しており、
前記一対のフレーム５に設けられる回転軸３０の各々には、搬送方向ローラー部１００が設けられ、前記他の対のフレーム５に設けられる回転軸３０の各々には、方向転換ローラー部２００が設けられ、
前記搬送方向ローラー部１００は、前記回転軸３０の外周面に装着されて一体に軸回転される複数の進行方向回転ホイールＡ１０と、前記進行方向回転ホイールＡ１０の各々に隣接し前記回転軸３０の外周面に装着されて一体に軸回転される複数の進行方向回転ホイールＢ２０と、を備え、
前記方向転換ローラー部２００は、前記回転軸３０の外周面に装着されて一体に軸回転される複数の進行方向回転ホイールＡ１０と、前記進行方向回転ホイールＡ１０の各々に隣接し前記回転軸３０の外周面に装着されて一体に軸回転される複数の進行方向回転ホイールＢ２０と、を備え、
前記各進行方向回転ホイールＡ１０には、前記回転軸３０の方向に軸回転される複数のアイドルローラーＡ１１が設けられ、
前記各進行方向回転ホイールＢ２０には、隣接する前記進行方向回転ホイールA１０の前記アイドルローラーＡ１１とずれて配置されて、前記回転軸３０の方向に軸回転される複数のアイドルローラーＢ２１が設けられ、
前記搬送方向ローラー部１００及び前記方向転換ローラー部２００の前記各アイドルローラーＡ１１および前記各アイドルローラーＢ２１が互いに同一の高さを有し、
前記方向転換ローラー部２００を上下に昇降させる昇降手段を備えていることを特徴とするマルチゲートコンベヤー。
【請求項２】
前記昇降手段は、前記方向転換ローラー部２００が設けられた前記フレーム５の両端の底面に配置された昇降シリンダー３００であり、
前記昇降シリンダー３００は、前記フレーム５を上下に昇降させる昇降ロッド３１０を備えていることを特徴とする請求項１に記載のマルチゲートコンベヤー。
【請求項３】
対向する二対のフレーム５と、前記各対のフレーム５に所定の間隔で複数設けられる互いに平行な回転軸３０と、を有するマルチゲートコンベヤーであって、
前記一対のフレーム５に設けられる回転軸３０と、他の対のフレーム５に設けられる回転軸３０は直交しており、
前記一対のフレーム５に設けられる回転軸３０の各々には、搬送方向ローラー部１００が設けられ、前記他の対のフレーム５に設けられる回転軸３０の各々には、方向転換ローラー部２００が設けられ、
前記搬送方向ローラー部１００は、前記回転軸３０の外周面に装着されて一体に軸回転される複数の進行方向回転ホイールＡ１０と、前記進行方向回転ホイールＡ１０の各々に隣接し前記回転軸３０の外周面に装着されて一体に軸回転される複数の進行方向回転ホイールＢ２０と、を備え、
前記方向転換ローラー部２００は、前記回転軸３０の外周面に装着されて一体に軸回転される複数の進行方向回転ホイールＡ１０と、前記進行方向回転ホイールＡ１０の各々に隣接し前記回転軸３０の外周面に装着されて一体に軸回転される複数の進行方向回転ホイールＢ２０と、を備え、
前記各進行方向回転ホイールＡ１０には、前記回転軸３０の方向に軸回転される複数のアイドルローラーＡ１１が設けられ、
前記各進行方向回転ホイールＢ２０には、隣接する前記進行方向回転ホイールA１０の前記アイドルローラーＡ１１とずれて配置されて、前記回転軸３０の方向に軸回転される複数のアイドルローラーＢ２１が設けられ、
前記搬送方向ローラー部１００及び前記方向転換ローラー部２００の前記各アイドルローラーＡ１１および前記各アイドルローラーＢ２１が互いに同一の高さを有し、
前記方向転換ローラー部２００を前後又は左右に移動させる移動手段を備えていることを特徴とするマルチゲートコンベヤー。
【請求項４】
前記移動手段は、前記方向転換ローラー部２００が設けられた前記フレーム５の両端の側面に配置された移動シリンダー３００′であり、
前記移動シリンダー３００′は、前記フレーム５を前後または左右に移動させる移動ロッド３１０′を備えていることを特徴とする請求項３に記載のマルチゲートコンベヤー。
【請求項５】
前記搬送方向ローラー部１００の進行方向回転ホイールA１０、B２０と前記方向転換ローラー部２００の進行方向回転ホイールA１０、B２０の直径の大きさを互いに異ならせて、交差される前記回転軸３０の各々が互いに干渉しないようにすることを特徴とする請求項１又は請求項３に記載のマルチゲートコンベヤー。
【請求項６】
対向する二対のフレーム５と、前記各対のフレーム５に所定の間隔で複数設けられる互いに平行な回転軸３０と、を有するマルチゲートコンベヤーであって、
前記一対のフレーム５に設けられる回転軸３０と、他の対のフレーム５に設けられる回転軸３０は直交しており、
前記一対のフレーム５に設けられる回転軸３０の各々には、搬送方向ローラー部１００が設けられ、前記他の対のフレーム５に設けられる回転軸３０の各々には、方向転換ローラー部２００が設けられ、
前記搬送方向ローラー部１００は、前記回転軸３０の外周面に装着されて一体に軸回転される複数の進行方向回転ホイール１０′を備え、
前記方向転換ローラー部２００は、前記回転軸３０の外周面に装着されて一体に軸回転される複数の進行方向回転ホイール１０′を備え、
前記各進行方向回転ホイール１０′には、前記回転軸３０の方向に軸回転される複数のアイドルローラーＡ１１と、前記各アイドルローラーＡ１１とずれて配置される複数のアイドルローラーＢ２１と、が設けられ、
前記搬送方向ローラー部１００及び前記方向転換ローラー部２００の前記各アイドルローラーＡ１１および前記各アイドルローラーＢ２１が互いに同一の高さを有し、
前記方向転換ローラー部２００を上下に昇降させる昇降手段を備えていることを特徴とするマルチゲートコンベヤー。
【請求項７】
前記昇降手段は、前記方向転換ローラー部２００が設けられた前記フレーム５の両端の底面に配置された昇降シリンダー３００であり、
前記昇降シリンダー３００は、前記フレーム５を上下に昇降させる昇降ロッド３１０を備えていることを特徴とする請求項６に記載のマルチゲートコンベヤー。
【請求項８】
対向する二対のフレーム５と、前記各対のフレーム５に所定の間隔で複数設けられる互いに平行な回転軸３０と、を有するマルチゲートコンベヤーであって、
前記一対のフレーム５に設けられる回転軸３０と、他の対のフレーム５に設けられる回転軸３０は直交しており、
前記一対のフレーム５に設けられる回転軸３０の各々には、搬送方向ローラー部１００が設けられ、前記他の対のフレーム５に設けられる回転軸３０の各々には、方向転換ローラー部２００が設けられ、
前記搬送方向ローラー部１００は、前記回転軸３０の外周面に装着されて一体に軸回転される複数の進行方向回転ホイール１０′を備え、
前記方向転換ローラー部２００は、前記回転軸３０の外周面に装着されて一体に軸回転される複数の進行方向回転ホイール１０′を備え、
前記各進行方向回転ホイール１０′には、前記回転軸３０の方向に軸回転される複数のアイドルローラーＡ１１と、前記各アイドルローラーＡ１１とずれて配置される複数のアイドルローラーＢ２１と、が設けられ、
前記搬送方向ローラー部１００及び前記方向転換ローラー部２００の前記各アイドルローラーＡ１１および前記各アイドルローラーＢ２１が互いに同一の高さを有し、
前記方向転換ローラー部２００を前後又は左右に移動させる移動手段を備えていることを特徴とするマルチゲートコンベヤー。
【請求項９】
前記移動手段は、前記方向転換ローラー部２００が設けられた前記フレーム５の両端の側面に配置された移動シリンダー３００′であり、
前記移動シリンダー３００′は、前記フレーム５を前後または左右に移動させる移動ロッド３１０′を備えていることを特徴とする請求項８に記載のマルチゲートコンベヤー。
【請求項１０】
前記搬送方向ローラー部１００の進行方向回転ホイール１０′と前記方向転換ローラー部２００の進行方向回転ホイール１０′の直径の大きさを互いに異ならせて、交差される前記回転軸３０の各々が互いに干渉しないようにすることを特徴とする請求項６又は請求項８に記載のマルチゲートコンベヤー。
【発明の詳細な説明】
【技術分野】
【０００１】
本発明は、マルチゲートコンベヤーに関し、より詳しくは、同一高さ上で互いに交差配置される搬送方向ローラー部と方向転換ローラー部とを設け、フォーク作業に際して、方向転換ローラー部を下降することができるようにする昇降シリンダーを設け、基本的な板ガラスの搬送及び方向転換の作業が行えることはもちろん、フォーク作業時にフォークが板ガラス下方に進入して板ガラスを外して移すようにすることによって、板ガラスに対する搬送、方向転換、及びフォークの作業を同時に行うことができるようになり、複合作業遂行による装置の信頼性が向上し、また、このような作業をインターバルのなしに迅速且つ容易に行うことができるようになり作業能率が大幅向上するようにするマルチゲートコンベヤーに関する。
【背景技術】
【０００２】
一般に、板ガラス方向転換装置としては作業台上に搬送されてきた板ガラスを進行方向に進行させたり、または直角方向に方向を転換させて搬送させたりするダイバーター方式と、作業台上に搬送された板ガラスを進行方向に進行させたり、またはその場所で回転させた後、所望の方向に搬送させたりするターン方式と、で大きく分けることができる。
【０００３】
このような方向転換装置において、前記ダイバーター方式の板ガラス方向転換装置は作業台上に搬送されてきた板ガラスを直角に方向転換させて板ガラスの搬送を継続的に行うように、ローラーが互いに直角方向に交差配列される構造の装置が主に提示されている。
【０００４】
一例として、このような従来技術の板ガラス方向転換装置を概略的に見ると、長さ方向に沿って等間隔で離隔されて平行に配置される複数の回転軸上に複数のローラーが装着される搬送方向ローラー部と、この搬送方向ローラー部と同一構成を有しこの搬送方向ローラー部と交差配置される方向転換ローラー部と、で構成されて、板ガラスの搬送及び方向転換が行われるようになっている。
【発明の概要】
【発明が解決しようとする課題】
【０００５】
しかし、このような従来技術の板ガラス方向転換装置は、板ガラスの搬送及び方向転換は可能であるが、板ガラスを他の作業台などで浮かべて移すためのフォーク作業時にそれぞれのローラー部が同一高さ上で固定されている。このため、ローラーの間にフォークが進入する空間が設けられていないのでフォーク作業が不可能になるなどの問題点があった。
【０００６】
本発明は、このような問題点を解決することを目的としている。すなわち、本発明は、同一高さ上で互いに交差配置される搬送方向ローラー部と方向転換ローラー部と、フォーク作業時に方向転換ローラー部を下降させることができるようにする昇降シリンダーと、を設け、基本的な板ガラスの搬送及び方向転換作業を行うことができることはもちろん、フォーク作業時にフォークが板ガラス下方に進入して板ガラスを浮かべて移すことによって、板ガラスに対する搬送、方向転換及びフォーク作業を同時に行うことができるようになり、さらに、複合作業遂行による装置の信頼性が向上し、また、このような作業をインターバルのなしに迅速且つ容易に行うことができるようになり、作業能率が大幅向上されるようにするマルチゲートコンベヤーを提供することを目的としている。
【課題を解決するための手段】
【０００７】
このような前記目的を達成するための本発明のマルチゲートコンベヤーは、フレームの縁にその両端部が軸結合されて軸回転され、互いに平行に所定の間隔で離隔する複数の回転軸が設けられ、前記回転軸上には、この回転軸の外周面に装着されて一体に軸回転され、その外周面に沿って前記回転軸の方向に軸回転される複数のアイドルローラーＡが設けられた進行方向回転ホイールＡと、前記進行方向回転ホイールＡの隣接部である回転軸の外周面に密接装着されて一体に軸回転され、その外周面に沿って前記回転軸の方向に軸回転される複数のアイドルローラーＢが設けられ、このアイドルローラーＢが、前記進行方向回転ホイールＡのアイドルローラーＡと回転軸の方向に互いにずらして配列された進行方向回転ホイールＢが備えられ、前記進行方向回転ホイールＡ、Ｂが互いに対を成して、回転軸に沿って等間隔で複数配列され、搬送物品の搬送方向と揃う方向に前記進行方向回転ホイールＡ、Ｂが配列された回転軸が連続する搬送方向ローラー部と、前記搬送方向ローラー部と同一の構成を有し、この搬送方向ローラー部の搬送方向と直角方向に配列された回転軸が連続する方向転換ローラー部とを含み、前記搬送方向ローラー部の進行方向回転ホイールＡ、Ｂの間に、方向転換ローラー部の進行方向回転ホイールＡ、Ｂが互いに直角方向に交差するようにして、これらのアイドルローラーＡ、Ｂが互いに同一の高さを有するマルチゲートコンベヤーであって、前記方向転換ローラー部が、上下に昇降するようにする昇降手段をさらに備えることを特徴とする。
【０００８】
また、本発明によるマルチゲートコンベヤーにおいて、前記昇降手段は、方向転換ローラー部の両端フレームの底面に配置され、このフレームを上下に昇降させる昇降ロッドを備えた昇降シリンダーであることが望ましい。
【０００９】
また、本発明によるマルチゲートコンベヤーにおいて、前記搬送方向ローラー部と方向転換ローラー部の進行方向回転ホイールＡ、Ｂの直径大きさを互いに異ならせて、その回転軸の高さ差により、これらの交差される回転軸の間に互いに干渉が生じないようにすることが望ましい。
【発明の効果】
【００１０】
以上のように、本発明によるマルチゲートコンベヤーは、同一高さ上で互いに交差配置される搬送方向ローラー部と方向転換ローラー部とが設けられ、さらに、フォーク作業時に方向転換ローラー部を下降させることができるようにする昇降シリンダーが設けられている。このため、基本的な板ガラスの搬送及び方向転換作業を行うことができることはもちろん、フォーク作業時にフォークが板ガラス下方に進入して板ガラスを浮かべて移すことができるようにすることによって、板ガラスに対する搬送、方向転換及びフォーク作業を同時に行うことができるようになって複合作業遂行による装置の信頼性が向上し、また、このような作業をインターバルのなしに迅速且つ容易に行うことができるようになって作業能率が大幅向上するようにするなどの效果を得る。
【図面の簡単な説明】
【００１１】
【図１】本発明の第１実施例によるマルチゲートコンベヤーを示す斜視図である。
【図２】本発明の第１実施例によるマルチゲートコンベヤーの中で進行方向回転ホイールを示す要部斜視図である。
【図３】本発明の第１実施例によるマルチゲートコンベヤーの中で進行方向回転ホイールを示す分解斜視図である。
【図４】本発明の第１実施例によるマルチゲートコンベヤー上に板ガラスが進入される状態を示す概略側面図である。
【図５】本発明の第１実施例によるマルチゲートコンベヤーの中でフォーク作業のために方向転換ローラー部が下降する状態を示す概略側面図である。
【図６】本発明の第１実施例によるマルチゲートコンベヤーの中でフォーク作業のために板ガラス底面にフォークが進入された状態を示す概略側面図である。
【図７】本発明の第１実施例によるマルチゲートコンベヤーの中でフォークが板ガラスを浮かべて移す状態を示す概略平面図である。
【図８】本発明の第２実施例によるマルチゲートコンベヤーを示す斜視図である。
【図９】本発明の第２実施例によるマルチゲートコンベヤーの方向転換ローラー部の作動状態を示す側面図である。
【図１０】本発明の第２実施例によるマルチゲートコンベヤーの方向転換ローラー部の作動状態を示す側面図である。
【図１１】本発明の第２実施例によるマルチゲートコンベヤーにフォークが挿入されて板ガラスを支える状態を示す側面図である。
【図１２】本発明の第３実施例および第４実施例によるマルチゲートコンベヤーに設置された進行方向回転ホイールを示す斜視図である。
【図１３】本発明の第３実施例および第４実施例によるマルチゲートコンベヤーの進行方向回転ホイールに板ガラスが安着された状態を示す側面図である。
【発明を実施するための形態】
【００１２】
以下、添付の図面に基づいて本発明を詳しく説明する。
【実施例１】
【００１３】
図１〜図７に示すように、本発明の第1実施例によるマルチゲートコンベヤーは、フレーム５の上部に搬送方向と揃う方向に多数のローラーが配列された搬送方向ローラー部１００と、この搬送方向ローラー部１００のローラー上部と同一の高さを有するように設けられ、前記搬送方向ローラー部１００に対応して互いに直角を成す方向と揃う方向に多数のローラーが配列された方向転換ローラー部２００と、この方向転換ローラー部２００を上下に昇降させる昇降手段とを含む構成からなる。
【００１４】
本発明に適用され、板ガラス７０の搬送及び方向転換を行う前記搬送方向ローラー部１００と方向転換ローラー部２００とを構成するローラーは、進行方向回転ホイールＡ１０と進行方向回転ホイールＢ２０とが結合されて、一つの単位多重ローラーを形成する。
【００１５】
前記進行方向回転ホイールＡ１０は、回転軸３０に挟まれて回動し、外周面のアイドルローラー設置部１５には、前記回転軸３０と直交方向に設けられ、この回転軸３０方向に自由に回転する多数のアイドルローラーＡ１１が一定の間隔で設けられている。
【００１６】
また、前記進行方向回転ホイールＡ１０と同一の規格を有し、同一の回転軸３０に挟まれて同時回動する進行方向回転ホイールＢ２０も、外周面に設けられた多数のアイドルローラーＢ２１が前記進行方向回転ホイールＡ１０のアイドルローラーＡ１１と互いにずらして結合されている。
【００１７】
すなわち、前記進行方向回転ホイールＡ１０に対応し、対を成して結合される進行方向回転ホイールＢ２０のアイドルローラーＢ２１は、中央部が前記進行方向回転ホイールＡ１０のアイドルローラー設置部1５と一致するように、互いにずらして結合されている。
【００１８】
特に、前記アイドルローラーＡ１１およびアイドルローラーＢ２１は、互いに同一の規格で、中央部の直径が大きく、両側の直径が小さく、中央部の直径より高さが長い形態の円筒状構造から構成されている。
【００１９】
前記アイドルローラーＡ１１を含む進行方向回転ホイールＡ１０、および、前記アイドルローラーＢ２１を含む進行方向回転ホイールＢ２０は、互いに結合された状態の組合体が回転軸３０を中心とする円筒の直径と同一の直径の円周である。
【００２０】
そして、前記搬送方向ローラー部１００と方向転換ローラー部２００の進行方向回転ホイールＡ１０、Ｂ２０の直径大きさを互いに異ならせて、その回転軸３０の高さ差により、これらの交差される回転軸３０の間に互いに干渉が生じないようになっている。
【００２１】
ここでは、前記搬送方向ローラー部１００の進行方向回転ホイールＡ１０および進行方向回転ホイールＢ２０よりも、方向転換ローラー部２００の進行方向回転ホイールＡ１０および進行方向回転ホイールＢ２０の大きさを大きく形成して、その回転軸３０が下方に位置されるようになっている。
【００２２】
そして、前記昇降手段は、方向転換ローラー部２００の両端フレーム５の底面に配置され、このフレーム５を上下に昇降させる昇降ロッド３１０を備えた昇降シリンダー３００からなっている。
【００２３】
このように構成された本発明の第１実施例によるマルチゲートコンベヤーの作動状態について、考察してみる。
【００２４】
本発明の第1実施例のマルチゲートコンベヤーは、底面が扁平な板ガラス７０が載せられている場合、多重ローラーのすべてのアイドルローラーＡ１１、アイドルローラーＢ２１の外周面に接触した状態で、搬送方向多重ローラー又は方向転換多重ローラーの駆動方向により、方向が決まるようにする。
【００２５】
搬送方向に搬送する時には、前記搬送方向多重ローラーと方向転換多重ローラーが同時に駆動されずに、必ず、搬送しようとする方向に駆動される多重ローラーだけが駆動されなければならない。
【００２６】
この時、方向転換ローラー軸駆動モータ(図示せず)が停止した状態である。したがって、方向転換ローラー部２００である多数の多重ローラーの進行方向回転ホイール１０、２０は、停止状態を維持するが、前記方向転換ローラー部２００のアイドルローラー１１、２１は、板ガラス７０の搬送方向に自由に回動するようになる。
【００２７】
それで、板ガラス７０が搬送方向にスムーズにその搬送が可能となる。
【００２８】
そして、板ガラス７０の搬送方向を変更しようとする場合、前記搬送方向ローラー軸駆動モータ(図示せず)を停止し、方向転換ローラー軸駆動モータを駆動させることで、直ちに搬送方向を変更することができるようになる。
【００２９】
すなわち、方向転換ローラー軸駆動モータの駆動力により、方向転換ローラー部２００の進行方向回転ホイール１０、２０が同時に同一の方向に回転しながら、板ガラス７０の搬送方向を９０度変更して搬送されるようにする。
【００３０】
この時、搬送方向ローラー軸駆動モータは停止状態である。したがって、搬送方向ローラー部１００の進行方向回転ホイール１０、２０は停止状態を維持するが、アイドルローラー１１、２１は、板ガラス７０を支持する状態で自由に駆動されることができるので、搬送方向に回動するようになる。
【００３１】
このように、第1実施例による本発明は、板ガラス７０と接触されるアイドルローラーＡ１１とアイドルローラーＢ２１が長い形態であり、接触面積が比較的広く形成された状態で板ガラス７０を支持するようになるので、接触部位に衝撃を最小化した状態で、搬送方向が切り換えられるようになる。
【００３２】
前記アイドルローラーＡ１１を含む進行方向回転ホイールＡ１０と、前記アイドルローラーＢ２１を含む進行方向回転ホイールＢ２０とは、互いに結合された状態の組合体が回転軸３０を中心とする円筒の直径と同一の直径の円周を成しているので、動力を伝達する多重ローラーは、一つの完全な円筒ローラーと同一の作用をするようになるので、作動過程で振り現象が全く発生しなくなる。
【００３３】
すなわち、上側に位置するすべてのアイドルローラーの最先端の高さは同一の高さを有するようにすることにより、板ガラス７０は、衝撃を受けることなく、自然に方向転換や搬送の作用がスムーズに行われるようになる。
【００３４】
一方、このように、板ガラス７０の搬送及び方向転換の作業をしている途中、フォーク作業を遂行しようとする場合は、図４〜図７に示すように、搬送方向ローラー部１００を通じて作業台上に板ガラス７０が進入されてからは、フォーク８０の進入のため、昇降シリンダー３００が働き、方向転換ローラー部２００を下方に下降させる。
【００３５】
次に、フォーク８０を板ガラス７０の底に進入させた後、板ガラス７０を上方に一定の高さ浮上してから、所望する箇所に搬送させることで、板ガラス７０に対するフォーク作業が行われる。
【００３６】
このようにフォーク作業が完了すると、昇降シリンダー３００を通じて下降されていた方向転換ローラー部２００を、上方に元の位置に配置させ、再度、板ガラス７０の方向転換作業が行うことができるようにする。
【実施例２】
【００３７】
図８に示すように、本発明の第２実施例によるマルチゲートコンベヤーは、前記第１実施例の昇降手段の代わりに、前記方向転換ローラー部２００を前後又は左右に移動するようにする移動手段を含む構成にすることができる。 以下の説明で、第１実施例と同一の構成に対しては同一の符号を付し、これに関する図面は省略する。
【００３８】
前記移動手段は、方向転換ローラー部２００の両端フレーム５の側面に設けられ、このフレーム５を前後又は左右に移動する移動ロッド３１０を備えた移動シリンダー３００'からなる。
【００３９】
このように前記昇降手段の代わりに、前記移動手段を含んで構成された本発明の他の実施例によるマルチゲートコンベヤーの作動状態を考察してみると、以下の通りである。
【００４０】
本発明の第２実施例のマルチゲートコンベヤーは、底面が扁平な板ガラス７０が載せられている場合、多重ローラーのすべてのアイドルローラーＡ１１、アイドルローラーＢ２１の外周面に接触した状態で、搬送方向多重ローラー又は方向転換多重ローラーの駆動方向により、方向が決まるようにする。
【００４１】
搬送方向に搬送する時には、前記搬送方向多重ローラーと方向転換多重ローラーが同時に駆動されず、必ず、搬送しようとする方向に駆動される多重ローラーだけが駆動されなければならない。
【００４２】
この時、方向転換ローラー軸駆動モータ(図示せず)は、停止状態である。したがって、方向転換ローラー部２００である多数の多重ローラーの進行方向回転ホイール１０、２０は、停止状態を維持するが、前記方向転換ローラー部２００のアイドルローラー１１、２１は、板ガラス７０の搬送方向に自由に回動するようになる。
【００４３】
それで、板ガラス７０が搬送方向にスムーズにその搬送が可能となる。
【００４４】
そして、板ガラス７０の搬送方向を変更しようとする場合、前記搬送方向ローラー軸駆動モータ(図示せず)を停止し、方向転換ローラー軸駆動モータを駆動することで、直ちに搬送方向を変更することができる。
【００４５】
すなわち、方向転換ローラー軸駆動モータの駆動力により、方向転換ローラー部２００の進行方向回転ホイール１０、２０が同時に同一の方向に回転しながら、板ガラス７０の搬送方向を９０度変更して、搬送されるようにする。
【００４６】
この時、搬送方向ローラー軸駆動モータは停止状態である。したがって、搬送方向ローラー部１００の進行方向回転ホイール１０、２０は、停止状態を維持するが、アイドルローラー１１、２１は、板ガラス７０を支持した状態で自由に駆動されることができるので、搬送方向に回動するようになる。
【００４７】
このように、第２実施例による本発明は、板ガラス７０に接触されるアイドルローラーＡ１１とアイドルローラーＢ２１が長い形態であり、接触面積が比較的広く形成された状態で板ガラス７０を支持するようになるので、接触部位に衝撃を最小化した状態で搬送方向が転換されるようにする。
【００４８】
前記アイドルローラーＡ１１を含む進行方向回転ホイールＡ１０と、前記アイドルローラーＢ２１を含む進行方向回転ホイールＢ２０とは、互いに結合された状態の組合体が回転軸３０を中心とする円筒の直径と同一の直径の円周を成している。このため、動力を伝達する多重ローラーは、一つの完全な円筒ローラーと同一の作用をするので、作動過程で振り現象が全く発生しなくなる。
【００４９】
すなわち、上側に位置するすべてのアイドルローラーの最先端の高さは、同一の高さを有するようにすることで、板ガラス７０は、衝撃を受けることなく、自然に方向転換や搬送の作用がスムーズに行われる。
【００５０】
一方、このように板ガラス７０の搬送及び方向転換の作業をしている途中、フォークの作業を遂行しようとする場合は、図８〜図１０に示すように、搬送方向ローラー部１００を通じて作業台上に板ガラス７０が進入されてからは、フォーク８０の進入のため、移動シリンダー３００'が作動して、方向転換ローラー部２００を移動する（前後図８の移動矢印参照）。図１０では、方向転換ローラー部２００が左側に移動して搬送方向ローラー部１００に近接した状態を示している。図１１は、マルチゲートコンベヤーにフォーク８０が挿入されて板ガラスを支えている状態を示している。
【００５１】
その後、フォーク８０を板ガラス７０の底面に進入した後、板ガラス７０を上方に一定の高さ浮上してから、所望する箇所に搬送させることにより、板ガラス７０に対するフォーク作業が行われるようになる。
【００５２】
このように、フォーク作業が完了すると、移動シリンダー３００'を通じて搬送方向ローラー部１００側に移動されていた方向転換ローラー部２００を、図１０の右側に原位置させ、再度、板ガラス７０の方向転換作業を行うことができるようになる。
【実施例３】
【００５３】
図１２〜図１３に示すように、本発明の第３実施例によるマルチゲートコンベヤーは、前記第1実施例において、２つから形成されている進行方向回転ホイールＡ、Ｂに代わって、１つから形成された進行方向回転ホイールに、前記アイドルローラーＡ、Ｂが結合される構成にすることができる。以下の説明において、第1実施例と同一の構成に対しては、同一の符号を付し、これに関する図面及び詳細な説明は省略することにする。
【００５４】
進行方向回転ホイール１０'は、前記回転軸３０上に、この回転軸３０の外周面に装着されて一体に軸回転され、その外周面に沿って前記回転軸３０の方向に軸回転される複数のアイドルローラーＡ１１と複数のアイドルローラーＢ２１とが設けられ、このアイドルローラーＢ２１が、前記アイドルローラーＡ１１と回転軸３０の方向でずらして配設される。
【００５５】
本発明に適用され、板ガラスの搬送及び方向転換を行う、前記搬送方向ローラー部１００と方向転換ローラー部２００を構成するローラーは、進行方向回転ホイール１０'にアイドルローラーＡ１１、Ｂ２１が結合されて形成される。
【００５６】
このように前記第1実施例において、２つから形成されている進行方向回転ホイールＡ１０、Ｂ２０に代わって、１つから形成された進行方向回転ホイール１０'に、前記アイドルローラーＡ１１、Ｂ２１が結合される構成を有する。本発明の第３実施例によるマルチゲートコンベヤーの作動状態を考察してみると、以下の通りである。
【００５７】
本発明の第３実施例のマルチゲートコンベヤーは、底面が扁平な板ガラス７０が載せられている場合、多重ローラーのすべてのアイドルローラーＡ１１、アイドルローラーＢ２１の外周面に接触した状態で、搬送方向多重ローラー又は方向転換多重ローラーの駆動方向により、方向が決まるようにする。
【００５８】
搬送方向で搬送時には、前記搬送方向多重ローラーと方向転換多重ローラーが同時に駆動されず、必ず、搬送しようとする方向に駆動される多重ローラーだけが駆動されなければならない。
【００５９】
この時、方向転換ローラー軸駆動モータ(図示せず)は停止した状態である。したがって、方向転換ローラー部２００の複数の多重ローラーの進行方向回転ホイール１０'は、停止状態を維持するが、前記方向転換ローラー部２００のアイドルローラー１１、２１は、板ガラス７０の搬送方向で自由に回動するようになる。
【００６０】
それで、板ガラス７０が搬送方向にスムーズにその搬送が可能となる。
【００６１】
そして、板ガラス７０の搬送方向を変更しようとする場合、前記搬送方向ローラー軸駆動モータ(図示せず)を停止し、方向転換ローラー軸駆動モータ(図示せず)を駆動することで、直ちに搬送方向を変更することができる。
【００６２】
すなわち、方向転換ローラー軸駆動モータの駆動力により、方向転換ローラー部２００の進行方向回転ホイール１０'が同時に同一方向に回転しながら、板ガラス７０の搬送方向を９０度変更させて、搬送するようにする。
【００６３】
この時、搬送方向ローラー軸駆動モータは停止した状態である。したがって、搬送方向ローラー部１００の進行方向回転ホイール１０'は、停止状態を維持するが、アイドルローラー１１、２１は、板ガラス７０を支持した状態で自由に駆動することができるので、搬送方向に回動するようになる。
【００６４】
このように、第３実施例による本発明は、板ガラス７０に接触されるアイドルローラーＡ１１とアイドルローラーＢ２１とが長い形態であり、接触面積が比較的広く形成された状態で板ガラス７０を支持するようになるので、接触部位に衝撃を最小化した状態で搬送方向が切り換えられるようになる。
【００６５】
前記アイドルローラーＡ１１と前記アイドルローラーＢ２１とを含む進行方向回転ホイール１０'は、前記回転軸３０を中心とする円筒の直径と同直径の円周を成しているので、動力を伝達する多重ローラーは、一つの完全な円筒ローラーと同一の作用をするようになるので、作動過程で振り現象が全く発生しなくなる。
【００６６】
すなわち、上側に位置するすべてのアイドルローラーの最先端高さは、同一の高さを有するようにすることで、板ガラス７０は、衝撃を受けることなく、自然に方向転換や搬送の作用がスムーズに行われるようになる。
【００６７】
一方、このように、板ガラス７０の搬送及び方向転換の作業をしている途中、フォーク作業を遂行しようとする場合は、図４〜図７に示すように、搬送方向ローラー部１００を通じて作業台上に板ガラス７０が進入されてからは、フォーク８０の進入のため、昇降シリンダー３００が働き、方向転換ローラー部２００を下方で下降させる。
【００６８】
その後、フォーク８０を板ガラス７０の底面に進入させた後、板ガラス７０を上方で一定の高さ浮上してから、所望する箇所で搬送することで、板ガラス７０に対するフォーク作業が行われるようになる。
【００６９】
このように、フォーク作業が完了すると、昇降シリンダー３００を通じて下降されていた方向転換ローラー部２００を上方に元の位置に移動させて、再度、板ガラス７０の方向転換作業を行うことができるようになる。
【実施例４】
【００７０】
図１２〜図１３に示すように、本発明の第４実施例によるマルチゲートコンベヤーは、前記第２実施例の二つから形成されている進行方向回転ホイールＡ、Ｂに代わって、一つから形成された進行方向回転ホイールに、前記アイドルローラーＡ、Ｂが結合される構成とすることができる。以下の説明において、第２実施例と同一の構成に対しては同一の符号を付し、これに関する図面及び詳細な説明は省略することにする。
【００７１】
進行方向回転ホイール１０'は、前記回転軸３０上にこの回転軸３０の外周面に装着されて一体に軸回転され、その外周面に沿って前記回転軸３０の方向に軸回転される複数のアイドルローラーＡ１１と複数のアイドルローラーＢ２１とが設けられ、このアイドルローラーＢ２１が、前記アイドルローラーＡ１１と回転軸３０の方向に互いにずらして配設される。
【００７２】
本発明に適用され、板ガラス７０の搬送及び方向転換を行う、前記搬送方向ローラー部１００と方向転換ローラー部２００を構成するローラーは、進行方向回転ホイール１０'にアイドルローラーＡ１１、Ｂ２１が結合されて形成される。
【００７３】
このように前記第２実施例の２つから形成されている進行方向回転ホイールＡ１０、Ｂ２０に代わって、１つから形成された進行方向回転ホイール１０'に、前記アイドルローラーＡ１１、Ｂ２１が結合される構成を有する、本発明の第４実施例によるマルチゲートコンベヤーの作動状態を考察してみると、以下の通りである。
【００７４】
本発明の他の一実施例であるマルチゲートコンベヤーは、底面が扁平な板ガラス７０が載せられている場合、多重ローラーのすべてのアイドルローラーＡ１１、アイドルローラーＢ２１の外周面に接触した状態で、搬送方向多重ローラー又は方向転換多重ローラーの駆動方向により、方向が決まるようにする。
【００７５】
搬送方向に搬送時には、前記搬送方向多重ローラーと方向転換多重ローラーが同時に駆動されず、必ず、搬送しようとする方向に駆動される多重ローラーだけが駆動されなければならない。
【００７６】
この時、方向転換ローラー軸駆動モータ(図示せず)は停止した状態である。したがって、方向転換ローラー部２００である複数の多重ローラーの進行方向回転ホイール１０'は停止状態を維持するが、前記方向転換ローラー部２００のアイドルローラー１１、２１は、板ガラス７０の搬送方向で自由に回動するようになる。
【００７７】
それで、板ガラス７０が搬送方向にスムーズにその搬送が可能となる。
【００７８】
そして、板ガラス７０の搬送方向を変更しようとする場合、前記搬送方向ローラー軸駆動モータ(図示せず)を停止させ、方向転換ローラー軸駆動モータを駆動させることで、直ちに搬送方向を変更することができるようになる。
【００７９】
すなわち、方向転換ローラー軸駆動モータの駆動力により、方向転換ローラー部２００の進行方向回転ホイール１０'が同時に同一の方向に回転しながら、板ガラス７０の搬送方向を９０度変更して、搬送するようになる。
【００８０】
この時、搬送方向ローラー軸駆動モータは停止した状態である。したがって、搬送方向ローラー部１００の進行方向回転ホイール１０'は、停止状態を維持するが、アイドルローラー１１、２１は、板ガラス７０を支持した状態で自由に駆動できるので、搬送方向に回動するようになる。
【００８１】
このように、第４実施例による本発明は、板ガラス７０と接触されるアイドルローラーＡ１１とアイドルローラーＢ２１とが長い形態であり、接触面積が比較的広く形成された状態で板ガラス７０を支持するようになるので、接触部位に衝撃を最小化した状態で、搬送方向が切り換えられようになる。
【００８２】
前記アイドルローラーＡ１１と前記アイドルローラーＢ２１とを含む進行方向回転ホイール１０'は、前記回転軸３０を中心とする円筒の直径と同直径の円周を成しているので、動力を伝達する多重ローラーは、１つの完全な円筒ローラーと同一の作用をするようになるので、作動過程で振り現象が全く発生しなくなる。
【００８３】
すなわち、上側に位置するすべてのアイドルローラーの最先端の高さは、同一の高さを有するようにすることで、板ガラス７０は、衝撃を受けることなく、自然に方向転換や搬送の作用がスムーズに行われるようにする。
【００８４】
一方、このように板ガラス７０の搬送及び方向転換の作業をしている途中、フォーク作業を遂行しようとする場合は、図８〜図１１に示しているように、搬送方向ローラー部１００を通じて作業台上に板ガラス７０が進入されてからは、フォーク８０の進入のため、移動シリンダー３００′が働き、方向転換ローラー部２００を移動する(前後図８の移動矢印参照)。図１０では、方向転換ローラー部２００が左側に移動して搬送方向ローラー部１００に近接した状態を示している。 図１１は、マルチゲートコンベヤーにフォーク８０が挿入されて板ガラスを支える状態を示している。
【００８５】
その後、フォーク８０を板ガラス７０の底面に進入させた後、板ガラス７０を上方で一定の高さ浮上してから、所望する箇所で搬送させることで、板ガラス７０に対するフォーク作業が行われる。
【００８６】
このようにフォーク作業が完了すると、移動シリンダー３００'を通じて、搬送方向ローラー部１００側に移動されていた方向転換ローラー部２００を、図１０の右側に原位置させて、再度、板ガラス７０の方向転換作業を行うことができるようにする。
【００８７】
以上のように、本発明は、前記の好適な実施例をあげて説明したが、このような実施例を、従来の公知技術と単純に組合適用した変形例は勿論のこと、本発明の特許請求の範囲と詳細な説明で本発明が属する技術分野の当業者が容易に変更して利用できる全ての技術は、本発明の技術範囲に当然含まれる。
【符号の説明】
【００８８】
５        フレーム
１０      進行方向回転ホイールＡ
１０′    進行方向回転ホイール
１１      アイドルローラーＡ
１５      アイドルローラー設置部
２０      進行方向回転ホイールＢ
２１      アイドルローラーＢ
３０      回転軸
７０      板ガラス
８０      フォーク
１００      搬送方向ローラー部
２００      方向転換ローラー部
３００      昇降シリンダー
３００′    移動シリンダー
３１０      昇降ロッド
３１０′    移動ロッド
【図１】
2011225376.tif 000003
【図２】
2011225376.tif 000004
【図３】
2011225376.tif 000005
【図４】
2011225376.tif 000006
【図５】
2011225376.tif 000007
【図６】
2011225376.tif 000008
【図７】
2011225376.tif 000009
【図８】
2011225376.tif 000010
【図９】
2011225376.tif 000011
【図１０】
2011225376.tif 000012
【図１１】
2011225376.tif 000013
【図１２】
2011225376.tif 000014
【図１３】
2011225376.tif 000015